(57)【要約】【課題】毛髪をストレートスタイルだけではなくカールスタイルに整髪できるようにすること。【解決手段】植毛群を対向して有する一対の植毛部２・３と、これらの植毛部からそれぞれ延び、一対で把持可能な把持部４・５と、植毛部を開放するために把持部を開放可能に連結する連結部６とを備え、  植毛部２・３が、円柱状で、その胴表面に第１植毛群７を有する植毛基体８と、この植毛基体と略同軸の半円弧状断面を有し、その凹表面に第１植毛群７に対向する第２植毛群９を有する植毛半外囲体１０とからなるヘアブラシ１。【選択図】図４
2008061829.tif 000002
【特許請求の範囲】
【請求項１】
植毛群を対向して有する一対の植毛部と、これらの植毛部からそれぞれ延び、一対で把持可能な把持部と、植毛部を開放するために把持部を開放可能に連結する連結部とを備え、
前記植毛部が、円柱状で、その胴表面に第１植毛群を有する植毛基体と、この植毛基体と略同軸の半円弧状断面を有し、その凹表面に前記第１植毛群に対向する第２植毛群を有する植毛半外囲体とからなることを特徴とするヘアブラシ。
【請求項２】
前記第１植毛群が植毛基体の中心軸から略放射方向に植生され、かつ前記第２植毛群が略植毛基体に向かうか、植毛基体の中心軸に略向心方向に植生された請求項１に記載のヘアブラシ。
【請求項３】
前記第１植毛群が６〜１０列で各列を等間隔に分散して植生された第１植毛束からなり、前記第２植毛群が５〜７列で各列を等間隔に分散して植生された第２植毛束からなる請求項１または２に記載のヘアブラシ。
【請求項４】
前記第１植毛束が、その先端部分を前記第２植毛束の間隙に略配向させてなる請求項３に記載のヘアブラシ。
【請求項５】
前記植毛半外囲体が、第２植毛束の各列に沿って複数の通気用スリットを有する請求項３または４に記載のヘアブラシ。
【請求項６】
前記一対の把持部が、その長手方向に長い通気用間隙を有するか、または相互に連通する通気用スリットをそれぞれ有する請求項３〜５のいずれか１つに記載のヘアブラシ。
【請求項７】
前記植毛基体の胴表面層および植毛半外囲体の少なくとも凸表面層が、熱伝導性の良好な薄膜層である請求項１〜６のいずれか１つに記載のヘアブラシ。
【請求項８】
前記熱伝導性の良好な薄膜層が、アルミニウムの薄膜層である請求項７に記載のヘアブラシ。
【請求項９】
連結部が、把持部を開放可能に連結するために支持軸で回動可能に連結され、把持部の開放時には狭くなる対向間隙を有する一対の連結部材と、これらの連結部材に手動によるスライド可能に支持され、前記対向間隙に把持部の開放時にスライドにより係脱可能に係合し把持部の開放を阻止する係合凸部を有するスライド片とからなる請求項１〜８のいずれか１つに記載のヘアブラシ。
【発明の詳細な説明】
【技術分野】
【０００１】
本発明は、ヘアブラシに関し、特に、対向する植毛群に毛髪を挟持させ、次いで毛髪を植毛群に対して摺動させて毛髪を整髪するためのヘアブラシに関するものである。
【背景技術】
【０００２】
この種のヘアブラシとして、植毛群を対向して有する一対の植毛部と、これらの植毛部からそれぞれ延び、一対で把持可能な把持部と、植毛部を開放するために把持部を開放可能に連結する連結部とを備えたヘアブラシが従来から知られている（特許文献１参照）。
このヘアブラシの植毛部は、対向面に植毛群を有する一対の平らな植毛基体からなる。
【０００３】
従って、毛髪の整髪に際しては、例えばドライヤーによる温風にさらしながら、一対の植毛基体の間で対向する植毛群に毛髪を挟持させ、次いで摺動させることにより毛髪をストレートスタイルに整髪することができる。
しかし、このヘアブラシは、毛髪をカールスタイルに整髪する（カールさせる）ことができない。
【特許文献１】実開平６−２９４３４号公報
【発明の開示】
【発明が解決しようとする課題】
【０００４】
解決しようとする問題点は、毛髪をカールスタイルに整髪することができない点である。
【課題を解決するための手段】
【０００５】
本発明は、植毛群を対向して有する一対の植毛部と、これらの植毛部からそれぞれ延び、一対で把持可能な把持部と、植毛部を開放するために把持部を開放可能に連結する連結部とを備え、
前記植毛部が、円柱状で、その胴表面に第１植毛群を有する植毛基体と、この植毛基体と略同軸の半円弧状断面を有し、その凹表面に前記第１植毛群に対向する第２植毛群を有する植毛半外囲体とからなることを特徴とするヘアブラシを提供する。
【発明の効果】
【０００６】
本発明に係るヘアブラシは、その植毛部が、円柱状で、その胴表面に第１植毛群を有する植毛基体と、この植毛基体と略同軸の半円弧状断面を有し、その凹表面に前記第１植毛群に対向する第２植毛群を有する植毛半外囲体とを備えているので、対向する植毛群に毛髪を挟持させるに際して、毛髪を、植毛基体と植毛半外囲体との間で対向する植毛群に髪先部分を挟持させ、次いでこの髪先部分に続く毛髪部分を植毛基体および植毛半外囲体の周りに巻きつけることにより、極めて簡単に毛髪をカールスタイルに整髪することができる。
本発明に係るヘアブラシは、もちろん、毛髪を、植毛基体と植毛半外囲体との間で対向する植毛群に挟持させ、次いで毛髪を摺動させることにより毛髪をストレートスタイルにも整髪することができる。
【発明を実施するための最良の形態】
【０００７】
本発明に係るヘアブラシは、植毛部が、円柱状で、その胴表面に第１植毛群を有する植毛基体と、この植毛基体と略同軸の半円弧状断面を有し、その凹表面に前記第１植毛群に対向する第２植毛群を有する植毛半外囲体とからなることを特徴とする。
【０００８】
本発明において、円柱状の植毛基体は、直径が好ましくは約１５〜約３０ｍｍ、より好ましくは約１７ｍｍに設定され、長さが好ましくは約７０〜約１２０ｍｍ、より好ましくは約１００ｍｍに設定される。
植毛半外囲体は、前記植毛基体と略同軸の半円弧状断面を有し、植毛基体の胴周りの約半分を等間隔で取り巻くように構成される。前記間隔、すなわち植毛半外囲体の凹表面（内面または内表面）と植毛基体の胴表面との距離が、好ましくは約１０〜約２０ｍｍ、より好ましくは約１５ｍｍに設定される。植毛半外囲体の長さは前記植毛基体と略同じく好ましくは約７０〜約１２０ｍｍ、より好ましくは約１００ｍｍに設定される。
また、この植毛半外囲体の厚みは、好ましくは約３〜約１０ｍｍ、より好ましくは約６ｍｍに設定される。
なお、植毛基体および植毛半外囲体の素材としては、合成樹脂が全般的に用いられる。例えば、ＡＢＳ樹脂、ＡＳ樹脂などが好適に用いられる。
【０００９】
本発明において、植毛基体の胴表面および植毛半外囲体の凹表面には、植毛群が植生される。
ここで、植毛基体の植毛群を第１植毛群と称し、植毛半外囲体の植毛群を第２植毛群と称すると、第１植毛群が植毛基体の中心軸から略放射方向に植生され、かつ第２植毛群が略植毛基体に向かうか、植毛基体の中心軸に略向心方向に植生されることが、毛髪の挟持がより均一で、かつ確実になるので好ましい。
【００１０】
また、第１植毛群は、好ましくは６〜１０列（列の方向はヘアブラシの長手方向に平行、以下同様）、より好ましくは８列で、各列を等間隔に分散して植生された第１植毛束で構成される。第２植毛群は、好ましくは５〜７列、より好ましくは５列で、各列を等間隔に分散して植生された第２植生束で構成される。
【００１１】
ここで、各第１植毛束の列間隔（植毛基体の胴表面に沿う中心間距離またはピッチ）は、好ましくは約３〜約１５ｍｍに、より好ましくは約１０ｍｍに設定される。そして１つの列における第１植毛束の間隔は、好ましくは約３〜約１０ｍｍに、より好ましくは約５ｍｍに設定される。
また、各第２植毛束の列間隔（植毛半外囲体の凹表面に沿う中心間距離またはピッチ）好ましくは約３〜約１５ｍｍに、より好ましくは約１０ｍｍに設定される。そして１つの列における第２植毛束の間隔は、好ましくは約３〜約１０ｍｍに、より好ましくは約５ｍｍに設定される。
【００１２】
そして、第１・第２植毛束は、天然毛、例えば、豚毛、猪毛などか、人工毛、例えば、ナイロン樹脂製の毛を束ねて構成され、好ましくは天然毛の場合、約２０〜約６５本、より好ましくは約６０本を束ねて構成される。
また、第１植毛束は、その先端部分を第２植毛束の間隙に略配向させてもよい。具体的には、第１植毛群の列と第２植毛群の列とを列方向に半列分偏移させるか、または／および横方向に半間隙分偏移させ、植毛束と毛髪との接触を多くすることができる。
【００１３】
本発明において、植毛半外囲体は、第２植毛束の各列に沿って複数の通気用スリット（空気孔）を有するのが好ましい（例えば、幅が約５ｍｍ、長さ約８７ｍｍで、３〜５本の通気用スリット）。
一方、一対の把持部は、その長手方向に長い通気用間隙（空隙）を有するか（例えば、通気用間隙の幅が約５〜約１０ｍｍ、長さが約５５〜約１３０ｍｍ）、または相互に連通する通気用スリット（空気孔）をそれぞれ有するのが好ましい（例えば、通気用スリットの幅が約３〜約１０ｍｍ、長さが約５５〜約１００ｍｍ）。
【００１４】
本発明において、植毛基体の胴表面層および植毛半外囲体の少なくとも凸表面層を、熱伝導性の良好な薄膜層、具体的にはアルミニウムのごとき金属の薄膜層（例えば、厚みが約０．３〜１ｍｍのアルミニウムメッキ層）で構成し、各表面の一部分に偏って伝達しがちな温風（例えば、ドライヤーによる約３０〜９０℃の温風）の熱を、薄膜層の全表面、または薄膜層と植毛半外囲体の全表面を介して各植毛束に伝えることによって、挟持された毛髪をより早く、かつ均一に温めるのが好ましい。
【００１５】
本発明において、連結部は、把持部を開放可能に連結するために支持軸で回動可能に連結され、把持部の開放時には狭くなる対向間隙を有する一対の連結部材と、これらの連結部材に手動によるスライド可能に支持され、前記対向間隙に把持部の開放時にスライドにより係脱可能に係合し把持部の開放を阻止する係合凸部を有するスライド片とで構成し、毛髪の挟持と摺動をより均一に、かつ確実にするのが好ましい。
（実施の形態１）
【００１６】
以下、図に示す、本発明に係るヘアブラシの実施の形態１に基づいて本発明を説明する。
図１は本発明に係るヘアブラシの実施の形態１を閉じた状態で示す上方から見た斜視図である。
図２は図１の実施の形態１を異なる方向から見た斜視図であり、（Ａ）は下方から、（Ｂ）は上方からそれぞれ見た図である。
図３は図１の実施の形態１を先端から軸方向に見た図（側面図）である。
図４は本発明に係るヘアブラシの実施の形態１を開いた状態で示す上方から見た斜視図、図５は図４の実施の形態１を示す正面図である。
【００１７】
図６は本発明に係るヘアブラシの実施の形態１の連結部の構成を説明する説明図であり、（Ａ）はヘアブラシの実施の形態１の閉じた状態をスライド片の一部を破断して示した斜視図、（Ｂ）は実施の形態１の開いた状態をスライド片の一部を破断して示した斜視図、（Ｃ）はスライド片の斜視図である。
図７は本発明に係るヘアブラシの実施の形態１を用いて毛髪を整髪する方法を説明する説明図であり、（Ａ）はストレートスタイルに整髪する方法を、（Ｂ）はカールスタイルに整髪する方法をそれぞれ説明する。
【００１８】
まず、図１〜３において、ヘアブラシ１は、植毛群を対向して有する一対の植毛部（コテ部）２・３と、これらの植毛部からそれぞれ延び、一対で把持可能な把持部４・５と、植毛部２・３を開放するために把持部４・５を開放可能に連結する連結部６とを備えている。
植毛部２は、特に図２において、円柱状で、その胴表面に第１植毛群７を有する植毛基体８からなり、植毛部３が、その植毛基体８と略同軸の半円弧状断面を有し、その凹表面に前記第１植毛群７に対向する第２植毛群９を有する植毛半外囲体１０からなり、ドライアなどによる温風にさらしながら、対向する植毛群に毛髪を挟持させ、次いで摺動させることにより毛髪を整髪する。
ここで、植毛基体８の直径は約１７ｍｍ、長さは約１００ｍｍである。植毛外囲体１０の植毛基体８との距離は約１５ｍｍ、長さは約１００ｍｍ、厚みは約６ｍｍである。
【００１９】
植毛基体８と植毛半外囲体１０とはＡＢＳ樹脂で構成され、第1植毛群７と第２植毛群９とは天然毛（猪毛）で構成されている。そして、第１植毛群７が植毛基体８の中心軸から略放射方向に植生され、かつ第２植毛群９が略植毛基体８に向かう。
第１植毛群７が８列で各列を等間隔に分散して植生された第１植毛束１１からなり、第２植毛群９が５列で各列を等間隔に分散して植生された第２植毛束１２からなる。
第１植毛束１１が、その先端部分を第２植毛群９の隣接する第２植毛束１２・１２の間隙に略配向させている。
【００２０】
なお、各第１植毛束１１の列間隔（植毛基体の胴表面に沿う中心間距離またはピッチ）は約１０ｍｍである。そして１つの列における第１植毛束１１の間隔は約５ｍｍである。また、各第２植毛束１２の列間隔（植毛半外囲体の凹表面に沿う中心間距離またはピッチ）は約１０ｍｍである。そして１つの列における第２植毛束１２の間隔は約５ｍｍである。
植毛半外囲体１０は、第２植毛束１２の各列に沿って４本の通気用スリット１３を有する。各通気用スリット１３の幅は約４ｍｍ、長さは約８７ｍｍである。
一対の把持部４・５は、その長手方向に長い通気用間隙１４を有する。通気用間隙１４の幅は約４ｍｍ、長さは約７７ｍｍである。
【００２１】
植毛基体８の胴表面層１５および植毛半外囲体１０の少なくとも凸表面層１６が、熱伝導性の良好な薄膜層としてのアルミニウムの薄膜層（アルミニウムメッキの膜厚：約０．５ｍｍ）である。
連結部６は、特に図６において、把持部４・５を開放可能に連結するために支持軸１７で回動可能に連結され、把持部４・５の開放時には狭くなる対向間隙Ｓを有する一対の連結部材１８・１９と、これらの連結部材に手動によるスライド可能に支持され、対向間隙Ｓに把持部４・５の開放時にスライドにより係脱可能に係合し把持部４・５の開放を阻止する係合凸部２０を有する略コ字状のスライド片２１とからなる。
【００２２】
なお、２２・２２（一方は図示省略）はスライド片２１の一対の自由片の内側に形成した溝部であり、支持軸１７の凸部に被さっている。従って、植毛部２・３を開放するために把持部４・５を開放する際には、連結部６からスライド片２１を引き出し、逆に植毛部２・３を閉じるために把持部４・５を閉じる際には、連結部６にスライド片２１を押し込む。
【００２３】
次に、以上の構成を備えたヘアブラシ１を用いて、毛髪を整髪する方法を説明する。
図１〜６および図７（Ａ）、特に図７（Ａ）において、ヘアブラシ１は、基本的に、毛髪ＨをドライヤーＤなどによる温風（約７０℃の温風）にさらしながら、ヘアブラシ１の対向する植毛群７・９に毛髪Ｈを挟持させ、次いで毛髪Ｈを植毛群７・９に対して摺動させることにより毛髪Ｈを整髪できる。
【００２４】
そして、まず、対向する植毛群７・９に毛髪Ｈを挟持させるに際して、連結部６からスライド片２１を引き出し、植毛部２・３を開放するために把持部４・５を開放する。そして、毛髪Ｈを、植毛基体８と植毛半外囲体１０との間で対向する植毛群７・９に適量挟持させ、次いで毛髪Ｈをゆっくり、真直ぐ、丁寧に矢印方向に植毛群７・９に対して摺動させることにより毛髪Ｈをストレートスタイルに整髪できる。
【００２５】
通常、この段階では、手で把持部４・５を握って毛髪Ｈを植毛群７・９に挟持させ、次いで毛髪Ｈを摺動させる。収納時には、図６において植毛部２・３を閉じるために把持部４・５を閉じ、連結部６にスライド片２１を押し込んで、収納スペースを小さくする。
なお、このストレートスタイルは、植毛部２が、円柱状で、その胴表面に第１植毛群７を有する植毛基体８からなり、植毛部３が、その植毛基体８と略同軸の半円弧状断面を有する植毛半外囲体１０からなるので、毛髪が植毛群７・９で円弧状に挟持され、それによって毛髪を屈曲させて毛髪の曲がり癖を少なくすると共に、頭側、またはその反対側（外側）にごくわずかにカールしたストレートスタイルに整髪できる。
【００２６】
さらに、図１〜６および図７（Ｂ）、特に図７（Ｂ）において、このヘアブラシ１は、対向する植毛群７・９に毛髪Ｈを挟持させるに際して、毛髪Ｈを、植毛基体８と植毛半外囲体１０との間で対向する植毛群７・９に髪先部分を少なめに挟持させ、髪先部分に続く毛髪部分を植毛基体８および植毛半外囲体１０の周りにくるくる巻きつけ、次いで毛髪Ｈ全体を植毛群７・９および植毛基体８と植毛半外囲体１０の接触表面に対して摺動させることにより毛髪Ｈをカールスタイルに整髪できる。
【００２７】
通常、この段階でも、手で把持部４・５を握って、植毛群７・９に髪先部分を挟持させ、髪先部分に続く毛髪部分を植毛基体８および植毛半外囲体１０の周りに巻きつけ、次いで毛髪Ｈを摺動させる。なお、収納時には、特に図６において植毛部２・３を閉じるために把持部４・５を閉じ、連結部６にスライド片２１を押し込んで、収納スペースを小さくする。
以上のごとく、ヘアブラシ１は、毛髪をストレートスタイルだけではなく、カールスタイルに整髪できる、ストレート・カールスタイル両用のヘアブラシであると言える。
【産業上の利用可能性】
【００２８】
本発明に係るヘアブラシは、特にストレートおよびカールスタイル両用の専門家用スタイリングヘアブラシまたはブロースタイリングヘアブラシとして好適に使用できる。
【図面の簡単な説明】
【００２９】
【図１】本発明に係るヘアブラシの実施の形態１を閉じた状態で示す斜視図である。
【図２】図１の実施の形態１を異なる方向から見た斜視図であり、（Ａ）は下方から、（Ｂ）は上方からそれぞれ見た図である。
【図３】図１の実施の形態１を先端から軸方向に見た図（側面図）である。
【図４】本発明に係るヘアブラシの実施の形態１を開いた状態で示す斜視図である。
【図５】図４の実施の形態１を示す正面図である。
【図６】本発明に係るヘアブラシの実施の形態１の連結部の構成を説明する説明図であり、（Ａ）はヘアブラシの実施の形態１の閉じた状態をスライド片の一部を破断して示した斜視図、（Ｂ）は実施の形態１の開いた状態を示す（Ａ）相当図、（Ｃ）はスライド片の斜視図である。
【図７】本発明に係るヘアブラシの実施の形態１を用いて毛髪を整髪する方法を説明する説明図であり、（Ａ）はストレートスタイルに整髪する方法を、（Ｂ）はカールスタイルに整髪する方法をそれぞれ説明する。
【符号の説明】
【００３０】
１        ヘアブラシ
２        植毛部
３        植毛部
４        把持部
５        把持部
６        連結部
７        第１植毛群
８        植毛基体
９        第２植毛群
１０      植毛半外囲体
１１      第１植毛束
１２      第２植毛束
１３      通気用スリット
１４      通気用間隙
１５      胴表面層
１６      凸表面層
１７      支持軸
１８      連結部材
１９      連結部材
２０      係合凸部
２１      スライド片
２２      溝部
【図１】
2008061829.tif 000003
【図２】
2008061829.tif 000004
【図３】
2008061829.tif 000005
【図４】
2008061829.tif 000006
【図５】
2008061829.tif 000007
【図６】
2008061829.tif 000008
【図７】
2008061829.tif 000009